(57)【要約】【課題】  部品点数の削減及び取付工程における作業性の向上を図る。【解決手段】  熱伝導性を有する基台１０と、光を出射する発光素子２１と発光素子に対する給電用の接点部２０ａ、２０ａ、・・・とを有し基台に取り付けられた光源モジュール１１と、発光素子に対する点消灯を制御し端子部２３を有する制御回路板１２と、基台に対して光源モジュールを押さえ基台に取り付けられる給電アタッチメント２４とを備え、給電アタッチメントには接点部に接続される第１の給電用端子２７と端子部に接続される第２の給電用端子２８とが設けられた。【選択図】図２
2018120782.tif 000002
【特許請求の範囲】
【請求項１】
熱伝導性を有する基台と、
光を出射する発光素子と前記発光素子に対する給電用の接点部とを有し前記基台に取り付けられた光源モジュールと、
前記発光素子に対する点消灯を制御し端子部を有する制御回路板と、
前記基台に対して前記光源モジュールを押さえ前記基台に取り付けられる給電アタッチメントとを備え、
前記給電アタッチメントには前記接点部に接続される第１の給電用端子と前記端子部に接続される第２の給電用端子とが設けられた
灯具。
【請求項２】
前記基台に前記光源モジュールが取り付けられる光源取付部と前記制御回路板が取り付けられる回路取付部とが設けられた
請求項１に記載の灯具。
【請求項３】
前記回路取付部には一端に開口を有するケース部が設けられ、
前記制御回路板が前記ケース部の内部に配置され、
前記給電アタッチメントが前記開口の少なくとも一部を閉塞する
請求項２に記載の灯具。
【請求項４】
前記光源モジュールと前記制御回路板の間に熱遮蔽壁が設けられ、
前記給電アタッチメントの一部が前記熱遮蔽壁に突き当てられた状態において前記第２の給電用端子が前記端子部に接続される
請求項１、請求項２又は請求項３に記載の灯具。
【請求項５】
発光素子と前記発光素子に対する給電用の接点部とを有する光源モジュールと、前記発光素子に対する点消灯を制御し端子部を有する制御回路板とが、熱伝導性を有する基台に取り付けられる第１の取付工程と、
第１の給電用端子と第２の給電用端子を有する給電アタッチメントが前記基台に取り付けられる第２の取付工程とを備え、
前記第２の取付工程において前記第１の給電用端子が前記接点部に接続されると共に前記第２の給電用端子が前記端子部に接続される
灯具における基台への取付方法。
【発明の詳細な説明】
【技術分野】
【０００１】
本発明は、光源モジュールが取り付けられた基台に対して光源モジュールを押さえる給電アタッチメントを有する灯具及び灯具における基台への取付方法についての技術分野に関する。
【先行技術文献】
【特許文献】
【０００２】
【特許文献１】特開２０１３−４５７１７号公報
【背景技術】
【０００３】
灯具、例えば、車輌用灯具には、カバーとランプハウジングによって構成された灯具外筐の内部に発光素子を有する光源モジュールと光源モジュールが取り付けられたヒートシンク等の基台とが配置され、発光素子から出射された光が外部へ向けて照射されるタイプがある。
【０００４】
このような光源モジュールが基台に取り付けられる灯具においては、基台に取り付けられる給電アタッチメントによって光源モジュールが押さえられる構成にされたものがある（例えば、特許文献１参照）。
【０００５】
特許文献１に記載された灯具にあっては、基台に発光素子の点消灯を制御する制御回路板が取り付けられ、コードが接続された給電ソケットによって発光素子が保持された状態で給電ソケットが給電アタッチメントによって押さえられている。給電アタッチメントは基台に取り付けられ、発光素子と給電ソケットは光源モジュールとして機能し、給電ソケットに接続されたコードが制御回路板の端子部に接続される。
【０００６】
制御回路板には図示しない電源回路から電源が供給され、発光素子には制御回路板からコード及び給電ソケットを介して電流が供給される。発光素子は制御回路板によって点消灯制御が行われる。
【発明の概要】
【発明が解決しようとする課題】
【０００７】
ところで、上記した灯具にあっては、基台に取り付けられる光源モジュールが給電アタッチメントによって押さえられ、基台に取り付けられた制御回路板に光源モジュールがコードによって接続される構成にされている。従って、基台や光源モジュールや給電アタッチメントの他にコードを必要にし、部品点数が多く、コードの接続作業も必要になり取付工程における作業数も多くなってしまう。
【０００８】
そこで、本発明灯具及び灯具における基台への取付方法は、上記した問題点を克服し、部品点数の削減及び取付工程における作業性の向上を図ることを目的とする。
【課題を解決するための手段】
【０００９】
第１に、本発明に係る灯具は、熱伝導性を有する基台と、光を出射する発光素子と前記発光素子に対する給電用の接点部とを有し前記基台に取り付けられた光源モジュールと、前記発光素子に対する点消灯を制御し端子部を有する制御回路板と、前記基台に対して前記光源モジュールを押さえ前記基台に取り付けられる給電アタッチメントとを備え、前記給電アタッチメントには前記接点部に接続される第１の給電用端子と前記端子部に接続される第２の給電用端子とが設けられたものである。
【００１０】
これにより、給電アタッチメントの第１の給電用端子と第２の給電用端子がそれぞれ光源モジュールの接点部と制御回路板の端子部とに接続される。
【００１１】
第２に、上記した本発明に係る灯具においては、前記基台に前記光源モジュールが取り付けられる光源取付部と前記制御回路板が取り付けられる回路取付部とが設けられることが望ましい。
【００１２】
これにより、制御回路板が基台に取り付けられるため、制御回路板を取り付けるための専用の部材が必要ない。
【００１３】
第３に、上記した本発明に係る灯具においては、前記回路取付部には一端に開口を有するケース部が設けられ、前記制御回路板が前記ケース部の内部に配置され、前記給電アタッチメントが前記開口の少なくとも一部を閉塞することが望ましい。
【００１４】
これにより、ケース部の内部に配置された制御回路板が給電アタッチメントによって覆われる。
【００１５】
第４に、上記した本発明に係る灯具においては、前記光源モジュールと前記制御回路板の間に熱遮蔽壁が設けられ、前記給電アタッチメントの一部が前記熱遮蔽壁に突き当てられた状態において前記第２の給電用端子が前記端子部に接続されることが望ましい。
【００１６】
これにより、端子部に対する第２の給電用端子の位置が熱遮蔽壁によって定められる。
【００１７】
第５に、本発明に係る灯具における基台への取付方法においては、発光素子と前記発光素子に対する給電用の接点部とを有する光源モジュールと、前記発光素子に対する点消灯を制御し端子部を有する制御回路板とが、熱伝導性を有する基台に取り付けられる第１の取付工程と、第１の給電用端子と第２の給電用端子を有する給電アタッチメントが前記基台に取り付けられる第２の取付工程とを備え、前記第２の取付工程において前記第１の給電用端子が前記接点部に接続されると共に前記第２の給電用端子が前記端子部に接続されるものである。
【００１８】
これにより、第２の取付工程において給電アタッチメントの第１の給電用端子と第２の給電用端子がそれぞれ光源モジュールの接点部と制御回路板の端子部とに接続される。
【発明の効果】
【００１９】
本発明によれば、給電アタッチメントの第１の給電用端子が光源モジュールの接点部に接続されると共に給電アタッチメントの第２の給電用端子が制御回路板の端子部に接続されるため、部品点数の削減及び取付工程における作業性の向上を図ることができる。
【図面の簡単な説明】
【００２０】
【図１】図２乃至図１１と共に本発明灯具及び灯具における基台への取付方法の実施の形態を示すものであり、本図は、灯具の断面図である。
【図２】灯具ユニットの一部を示す分解斜視図である。
【図３】灯具ユニットの一部を示す断面図である。
【図４】別の灯具ユニットの一部を示す分解斜視図である。
【図５】別の灯具ユニットの一部を示す断面図である。
【図６】第２の給電用端子と端子部の形状の例を示す拡大断面図である。
【図７】第２の給電用端子と端子部の形状の別の例を示す拡大断面図である。
【図８】第２の給電用端子と端子部の形状のまた別の例を示す拡大断面図である。
【図９】また別の灯具ユニットの一部を示す分解斜視図である。
【図１０】また別の灯具ユニットの一部を示す断面図である。
【図１１】基台の回路取付部に放熱フィンが設けられた例を示す斜視図である。
【発明を実施するための形態】
【００２１】
以下に、本発明灯具及び灯具における基台への取付方法を実施するための形態について添付図面を参照して説明する。
【００２２】
以下に示した実施の形態は、本発明灯具を車輌用灯具に適用し本発明灯具における基台への取付方法を車輌用灯具における基台への取付方法に適用したものである。尚、本発明の適用範囲は車輌用灯具及び車輌用灯具における基台への取付方法に限られることはなく、照明等として機能する各種の灯具及び灯具における基台への取付方法に適用することができる。
【００２３】
灯具（車輌用灯具）１は、それぞれ車体の前端部における左右両端部に取り付けられている。
【００２４】
灯具１は、例えば、前方に開口を有するランプハウジング２とランプハウジング２の開口を閉塞するカバー３とを備えている（図１参照）。ランプハウジング２とカバー３によって灯具外筐４が構成され、灯具外筐４の内部空間が灯室５として形成されている。
【００２５】
灯室５には灯具ユニット６が配置されている。灯具ユニット６は光が透過される投影レンズ７と投影レンズ７を保持するホルダー８と光を前方へ向けて反射するリフレクター９と熱を放出する基台１０と基台１０上に取り付けられた光源モジュール１１と基台１０に取り付けられた制御回路板１２とを有している（図２及び図３参照）。
【００２６】
投影レンズ７は前方に凸の略半球状に形成されている。ホルダー８は筒状に形成されている。ホルダー８の前端部には投影レンズ７が取り付けられている。リフレクター９はホルダー８の後側に配置されている。
【００２７】
基台１０は、例えば、熱伝導性を有する金属材料によって形成され、少なくとも一部がヒートシンクとして機能する。基台１０は、光源モジュール１１が取り付けられる光源取付部１３と、制御回路板１２が取り付けられる回路取付部１４と、光源取付部１３と回路取付部１４を連結する連結部１５とを有している。
【００２８】
光源取付部１３は上下方向を向く平板状の取付板部１３ａと取付板部１３ａから下方に突出されたフィン部１３ｂ、１３ｂ、・・・とから成り、フィン部１３ｂ、１３ｂ、・・・が、例えば、左右に離隔して位置されている。
【００２９】
回路取付部１４は光源取付部１３に対して左右方向において離隔して位置され、下端部を除く部分がケース部１６として設けられている。ケース部１６は上端に開口１６ａを有する箱状に形成され、上下方向を向く矩形状の底面部１７と底面部１７の外周部に連続する周面部１８とを有している。周面部１８のうち左右方向において光源取付部１３から最も離隔して位置された面部が取付面部１８ａとして設けられている。ケース部１６の上面と取付板部１３ａの上面とは略同じ高さに位置されている。
【００３０】
ケース部１６の内部には底面部１７から上方に突出された保持突部１９が設けられ、保持突部１９は取付面部１８ａと平行な状態で左右に離隔して位置されている。
【００３１】
連結部１５は上下方向を向く連結壁１５ａと連結壁１５ａの左右方向における中間部から上方に突出された熱遮蔽壁１５ｂとを有している。連結壁１５ａは光源取付部１３と回路取付部１４の下端部間を連結している。熱遮蔽壁１５ｂの上面は周面部１８の上面より低い位置に存在する。
【００３２】
光源モジュール１１は基板２０と基板２０上に搭載された発光素子２１とを有している。基板２０の上面には発光素子２１への給電用の複数の接点部２０ａ、２０ａ、・・・が形成されている。基板２０には発光素子２１と接点部２０ａ、２０ａ、・・・を接続する図示しない給電経路が形成されている。光源モジュール１１は基板２０が光源取付部１３の配置面部１３ａに取り付けられている。
【００３３】
制御回路板１２は発光素子２１に対する点消灯を制御する機能を有し、制御回路を有する制御板２２と制御板２２の一端部に接続されコネクターとして機能する端子部２３とを有している。制御回路板１２は図示しない電源回路にケーブル等によって電気的に接続される。制御回路板１２は制御板２２における最大の面積を有し反対側を向く第１の面２２ａと第２の面２２ｂが左右方向を向く状態で回路取付部１４に取り付けられる。端子部２３は第１の面２２ａから側方に突出され上方に開口された接続穴２３ａを有している。
【００３４】
制御回路板１２は制御板２２の一部が回路取付部１４の取付面部１８ａと保持突部１９の間に挿入されて制御板２２の下面が底面部１７に突き当てられ、ケース部１６の内部に配置された状態で回路取付部１４に取り付けられる。制御回路板１２が回路取付部１４に取り付けられた状態においては、制御板２２の第２の面２２ｂが取付面部１８ａの内面に接した状態にされ、端子部２３が上方側に位置される。
【００３５】
光源取付部１３に取り付けられた光源モジュール１１は給電アタッチメント２４によって配置面部１３ａ側に押さえられる。給電アタッチメント２４は上下方向を向く横長の矩形状に形成されたベース面部２５とベース面部２５の左右方向における略中央部から下方に突出された突状部２６とを有している。
【００３６】
ベース面部２５には上下に貫通された矩形状の開口部２５ａが形成されている。開口部２５ａの左側の開口縁と右側の開口縁からは互いに近付く方向へ突出された第１の給電用端子２７、２７、・・・が位置されている。第１の給電用端子２７、２７、・・・は前後に離隔して位置されている。第１の給電用端子２７は略上下方向において弾性変形可能にされている。
【００３７】
給電アタッチメント２４にはベース面部２５の下面から下方に突出されコネクターとして機能する第２の給電用端子２８が設けられている。第１の給電用端子２７と第２の給電用端子２８は左右方向において突状部２６を挟んで反対側に位置され、ベース面部２５に埋設された図示しない導電部によって接続されている。
【００３８】
給電アタッチメント２４は基台１０に上方から取り付けられる。給電アタッチメント２４が基台１０に取り付けられるときには、突状部２６が連結部１５の熱遮蔽壁１５ｂに上方から突き当てられ、基台１０に対する上下方向における位置決めが行われる。このとき給電アタッチメント２４は第１の給電用端子２７、２７、・・・がそれぞれ光源モジュール１１の接点部２０ａ、２０ａ、・・・に弾性変形された状態で接続されると共に第２の給電用端子２８が制御回路板１２における端子部２３の接続穴２３ａに挿入されて接続される。尚、端子部２３と第２の給電用端子２８の実施形態はこの形態に限られることはなく、例えば、端子部２３と第２の給電用端子２８の結線構造が、互いに嵌合可能なコネクタの形態であってもよい。
【００３９】
また、第２の給電用端子２８が端子部２３に接続される状態においては、制御回路板１２における制御板２２の下面が底面部１７に突き当てられることにより端子部２３の基台１０に対する上下方向における位置決めが行われているため、第２の給電用端子２８が端子部２３の接続穴２３ａに一定の位置まで挿入され、第２の給電用端子２８の端子部２３への挿入不良が生じず、第２の給電用端子２８の端子部２３に対する良好な接続状態を確保することができる。
【００４０】
給電アタッチメント２４が基台１０に取り付けられた状態においては、ケース部１６の開口１６ａが給電アタッチメント２４のベース面部２５によって閉塞される。
【００４１】
給電アタッチメント２４はベース面部２５が、例えば、ネジ止めによって基台１０に取り付けられる。このときベース面部２５に形成されたネジ挿通孔の開口縁に接地（アース）用の導電部を形成することにより、給電アタッチメント２４をベース面部２５に取り付けるための取付用のネジ及び基台１０によって接地が行われ、簡単な構成により接地を行うことができる。
【００４２】
上記のように構成された灯具１において、発光素子２１から光が出射されると、出射された光はリフレクター９で反射されて投影レンズ７に入射され、投影レンズ７によって平行光にされてレンズ３を透過されて前方へ向けて照射される。
【００４３】
発光素子２１から光が出射されるときには、制御回路板１２が駆動状態にあり、光源モジュール１１と制御回路板１２において熱が発生する。光源モジュール１１において発生した熱は基台１０の光源取付部１３に伝達され、主に、フィン部１３ｂ、１３ｂ、・・・から放出され、光源モジュール１１の良好な駆動状態が確保される。一方、制御回路板１２において発生した熱は基台１０の回路取付部１４に伝達されて放出され、制御回路板１２の良好な駆動状態が確保される。
【００４４】
熱は上方に伝達され易いため、上記のように、連結壁１５ａが光源取付部１３と回路取付部１４の下端部間を連結した構成にされていることにより、光源取付部１３と回路取付部１４の間での熱の伝達性が抑制され、光源取付部１３に取り付けられる光源モジュール１１と回路取付部１４に取り付けられる制御回路板１２との良好な駆動性能を確保することが可能になる。
【００４５】
また、光源取付部１３と回路取付部１４の間に熱遮蔽壁１５ｂが位置されているため、熱遮蔽壁１５ｂによって光源取付部１３と回路取付部１４の間での熱の伝達性が一層抑制され、光源モジュール１１と制御回路板１２の一層良好な駆動性能を確保することが可能になる。
【００４６】
尚、連結部１５は樹脂材料等の熱伝達性の低い材料によって形成されていてもよい。連結部１５が熱伝達性の低い材料によって形成されることにより、光源モジュール１１と制御回路板１２のより一層良好な駆動性能を確保することが可能になる。
【００４７】
上記したように、灯具１においては、光源モジュール１１が基台１０に取り付けられ、基台１０に光源モジュール１１が取り付けられた状態において給電アタッチメント２４が基台１０に取り付けら、第１の給電用端子２７と第２の給電用端子２８がそれぞれ所定の各部に接続される。即ち、発光素子２１と発光素子２１に対する給電用の接点部２０ａ、２０ａ、・・・とを有する光源モジュール１１と、発光素子２１に対する点消灯を制御し端子部２３を有する制御回路板２２とが、熱伝導性を有する基台１０に取り付けられる第１の取付工程と、第１の給電用端子２７と第２の給電用端子２８を有する給電アタッチメント２４が基台１０に取り付けられる第２の取付工程とを備え、第２の取付工程において第１の給電用端子２７が接点部２０ａ、２０ａ、・・・に接続されると共に第２の給電用端子２８が端子部に接続される。
【００４８】
以上に記載した通り、灯具１にあっては、給電アタッチメント２４に、光源モジュール１１の接点部２０ａ、２０ａ、・・・に接続される第１の給電用端子２７、２７、・・・と制御回路板１２の端子部２３に接続される第２の給電用端子２８とが設けられている。
【００４９】
従って、給電アタッチメント２４の第１の給電用端子２７、２７、・・・と第２の給電用端子２８がそれぞれ光源モジュール１１の接点部２０ａ、２０ａ、・・・と制御回路板１２の端子部２３とに接続されるため、基台１０に取り付けられた制御回路板１２にコードによって給電アタッチメント２４を接続する必要がなく、部品点数の削減及び取付工程における作業性の向上を図ることができる。
【００５０】
また、一つの取付工程である第２の取付工程において、給電アタッチメント２４の第１の給電用端子２７、２７、・・・と第２の給電用端子２８がそれぞれ光源モジュール１１の接点部２０ａ、２０ａ、・・・と制御回路板１２の端子部２３とに接続される。
【００５１】
従って、基台１０に取り付けられた制御回路板１２にコードによって給電アタッチメント２４を接続する必要がなく、部品点数の削減及び取付工程における作業性の向上を図ることができる。
【００５２】
さらに、制御回路板１２は駆動時にノイズを発生する可能性があるが、制御回路板１２をケース部１６に配置した状態においてケース部１６の開口１６ａが給電アタッチメント２４によって覆われるため、ノイズの発生を抑制することが可能にされている。
【００５３】
このように給電アタッチメント２４はケース部１６の内部に配置された制御回路板１２を閉塞する蓋部としても機能するため、制御回路板１２を閉塞するための専用の蓋が必要なく、その分、部品点数の削減による灯具１の製造コストの低減を図ることができる。
【００５４】
さらにまた、基台１０に光源モジュール１１が取り付けられる光源取付部１３と制御回路板１２が取り付けられる回路取付部１４とが設けられている。
【００５５】
従って、制御回路板１２が基台１０に取り付けられるため、制御回路板１２を取り付けるための専用の部材が必要なく、部品点数の削減を図ることができると共に光源モジュール１１を押さえた状態における第２の給電用端子２８の制御回路板１２に対する良好な接続状態を確保することができる。
【００５６】
また、回路取付部１４に開口１６ａを有するケース部１６が設けられ、制御回路板１２が回路取付部１４の内部に配置され、給電アタッチメント２４がケース部１６の開口１６ａを閉塞した状態にされる。
【００５７】
従って、ケース部１６の内部に配置された制御回路板１２が給電アタッチメント２４によって覆われるため、制御回路板１２の駆動時における光源モジュール１１に対する制御回路板１２のノイズによる干渉を抑制することができる。
【００５８】
さらに、光源モジュール１１と制御回路板１２の間に熱遮蔽壁１５ｂが設けられ、給電アタッチメント２４の一部が熱遮蔽壁１５ｂに突き当てられた状態において第２の給電用端子２８が端子部２３に接続される。
【００５９】
従って、熱遮蔽壁１５ｂに給電アタッチメント２４が接した状態で第２の給電用端子２８が端子部２３に接続されるため、端子部２３に対する第２の給電用端子２８の位置が熱遮蔽壁１５ｂによって定められ、第２の給電用端子２８の端子部２３に対する良好な接続状態を確保することができる。
【００６０】
加えて、光源モジュール１１と制御回路板１２の間に熱遮蔽壁１５ｂが設けられることにより、制御回路板１２の駆動時における光源モジュール１１と制御回路板１２のノイズによる相互干渉を抑制することも可能である。
【００６１】
上記には、端子部２３に挿入されて接続される第２の給電用端子２８の例と端子部２３を有する制御回路板１２の例を示したが、第２の給電用端子と制御回路板は以下のような構成にされていてもよい（図４及び図５参照）。
【００６２】
例えば、給電アタッチメント２４に弾性変形可能な第２の給電用端子２８Ａ、２８Ａ、・・・が設けられていてもよい。給電アタッチメント２４にはベース面部２５から下方に突出された端子用突部２５ａが設けられ、端子用突部２５ａから第２の給電用端子２８Ａ、２８Ａ、・・・が側方に突出されている。第２の給電用端子２８Ａ、２８Ａ、・・・は前後に離隔して位置され、略上下方向において弾性変形可能にされている。
【００６３】
制御回路板１２Ａには端子部２３に代えて端子部２３Ａ、２３Ａ、・・・が形成されている。端子部２３Ａ、２３Ａ、・・・は制御回路板１２Ａの外周面における一部（上面）に形成され、制御回路板１２Ａに形成された回路パターンの一部として形成されている。端子部２３Ａ、２３Ａ、・・・は凹状に形成され、前後に離隔して位置されている。
【００６４】
給電アタッチメント２４は基台１０に上方から取り付けられる。給電アタッチメント２４は第１の給電用端子２７、２７、・・・がそれぞれ光源モジュール１１の接点部２０ａ、２０ａ、・・・に上方から弾性変形された状態で接続されると共に第２の給電用端子２８Ａ、２８Ａ、・・・が制御回路板１２Ａの端子部２３Ａ、２３Ａ、・・・に上方から弾性変形された状態で接続される。
【００６５】
尚、端子部２３Ａが曲面状に形成されている場合には、第２の給電用端子２８Ａの接触側（下面側）の外面も凸状の曲面に形成することが望ましい（図６参照）。第２の給電用端子２８Ａの接触側の外面をこのような形状に形成することにより、端子部２３Ａの曲面状の部分と第２の給電用端子２８Ａの曲面状の部分とが接するため、端子部２３Ａの傷付きやメッキの剥がれが生じ難く、端子部２３Ａと第２の給電用端子２８Ａの良好な接続状態を確保することができる。
【００６６】
この場合に、端子部２３Ａと第２の給電用端子２８Ａの接触側の端部とがそれぞれ半球状に形成されているときには、端子部２３Ａの半径Ｒ１より第２の給電用端子２８Ａの半径Ｒ２を小さくすることにより、端子部２３Ａと第２の給電用端子２８Ａの良好な接続状態を確保することができる。
【００６７】
また、図７に示すように、第２の給電用端子２８Ａの幅が大きく第２の給電用端子２８Ａが端子部２３Ａに２箇所で接する場合には、接触する部分２８ａ、２８ａを曲面状に形成して端子部２３Ａの傷付きやメッキの剥がれを防止することが望ましい。
【００６８】
さらに、図８に示すように、端子部２３Ａに平面部２３ａを形成し、第２の給電用端子２８Ａが曲面部２３ｂ、２３ｂに接触されず平面部２３ａに接触される構成にすることも可能である。第２の給電用端子２８Ａが平面部２３ａに接触されることにより、第２の給電用端子２８Ａが端子部２３Ａに安定した圧力で接触され、端子部２３Ａの傷付きやメッキの剥がれを防止することができると共に端子部２３Ａに対する第２の給電用端子２８Ａの安定した接続状態を確保することができる。
【００６９】
また、例えば、給電アタッチメント２４に弾性変形可能な第２の給電用端子２８Ｂ、２８Ｂ、・・・が設けられていてもよい（図９及び図１０参照）。給電アタッチメント２４にはベース面部２５から下方に突出された端子用突部２５ａが設けられ、端子用突部２５ａから第２の給電用端子２８Ｂ、２８Ｂ、・・・が下方に突出されている。第２の給電用端子２８Ｂ、２８Ｂ、・・・は前後に離隔して位置され、略左右方向において弾性変形可能にされている。
【００７０】
制御回路板１２Ｂには端子部２３に代えて端子部２３Ｂ、２３Ｂ、・・・が形成されている。端子部２３Ｂ、２３Ｂ、・・・は制御回路板１２Ｂの第１の面２２ａにおける上端部に形成され、制御回路板１２Ｂに形成された回路パターンの一部として形成されている。
【００７１】
給電アタッチメント２４は基台１０に上方から取り付けられる。給電アタッチメント２４は第１の給電用端子２７、２７、・・・がそれぞれ光源モジュール１１の接点部２０ａ、２０ａ、・・・に上方から弾性変形された状態で接続されると共に第２の給電用端子２８Ｂ、２８Ｂ、・・・が制御回路板１２Ｂの端子部２３Ｂ、２３Ｂ、・・・に側方から弾性変形された状態で接続される。
【００７２】
尚、端子部２３Ｂと第２の給電用端子２８Ｂにおいても、図６乃至図８に示した端子部２３Ａと第２の給電用端子２８Ａと同様に、曲面状の形状や平面部を有する形状に形成されていてもよい。
【００７３】
また、第２の給電用端子２８Ｂ、２８Ｂ、・・・の端子部２３Ｂ、２３Ｂ、・・・への側方からの接続は、制御回路板１２Ｂにおける第１の面２２ａ又は第２の面２２ｂの何れの面から行われてもよい。
【００７４】
尚、基台１０の回路取付部１４には制御回路板１２（１２Ａ、１２Ｂ）の駆動時に発生する熱の放出性能を向上させるために、周面部１８から外方に突出された放熱フィン２９、２９、・・・が設けられていてもよい（図１１参照）。
【符号の説明】
【００７５】
１…灯具、１０…基台、１１…光源モジュール、１２…制御回路板、１３…光源取付部、１４…回路取付部、１５ｂ…熱遮蔽壁、１６…ケース部、１６ａ…開口、接点部…２０ａ、２０ａ、・・・、２１…発光素子、２３…端子部、２４…給電アタッチメント、２７…第１の給電用端子、２８…第２の給電用端子、１２Ａ…制御回路板、２３Ａ…端子部、２８Ａ…第２の給電用端子、１２Ｂ…制御回路板、２３Ｂ…端子部、２８Ｂ…第２の給電用端子
【図１】
2018120782.tif 000003
【図２】
2018120782.tif 000004
【図３】
2018120782.tif 000005
【図４】
2018120782.tif 000006
【図５】
2018120782.tif 000007
【図６】
2018120782.tif 000008
【図７】
2018120782.tif 000009
【図８】
2018120782.tif 000010
【図９】
2018120782.tif 000011
【図１０】
2018120782.tif 000012
【図１１】
2018120782.tif 000013